(57)【要約】【課題】  コンタクトピンと端子との確実な接触を確保できる端子保持具と、端子の実装作業が容易な端子保持構造と、ＣＡＴＶ用機器を提供する。【解決手段】  ＣＡＴＶ用機器の筐体に取付けられたコンタクトピンと、筐体内に収容配置された回路基板に実装された端子との接触を保持する端子保持具であり、端子はコンタクトピンを挟着保持可能に対向配置された二つ一対の接触片を備え、接触片はコンタクトピンの軸方向に数対あり、端子保持具は二本一対の脚部の軸方向一端側が連結され、他端側が開放されたアーチ形であり、両脚部間が端子を跨ぐことのできる広さであり、夫々の脚部の開放端側に、回路基板に差し込み可能な差込部があり、端子を跨いで両差込部を回路基板の取付け孔に差し込むと、両脚部が接触片の両外側に配置されて当該接触片の両外側への拡がりが防止されるようにした。【選択図】      図１
2014036000.tif 000002
【特許請求の範囲】
【請求項１】
ＣＡＴＶ用機器の筐体に取付けられたコンタクトピンと、当該筐体内に収容配置された回路基板に実装された端子との接触を保持する端子保持具であり、
前記端子はコンタクトピンを挟着保持可能に対向配置された二つ一対の接触片を備え、当該接触片はコンタクトピンの軸方向に数対あり、
前記端子保持具は二本一対の脚部の軸方向一端側が連結され、他端側が開放されたアーチ形であり、両脚部間が前記端子を跨ぐことのできる広さであり、夫々の脚部の開放端側に、前記回路基板に差し込み可能な差込部があり、
前記端子を跨いで前記両差込部を回路基板の取付け孔に差し込むことにより、前記両脚部が接触片の両外側に配置されて当該接触片の両外側への拡がりが防止されるようにした、
ことを特徴とする端子保持具。
【請求項２】
請求項１記載の端子保持具において、
差込部が、対向配置された二本一対の差込片を備え、
両差込片は加圧により互いに接近し解放により自動的に復元可能であり、接近状態で回路基板の一つの取付け孔に差込み可能であり、差込み後に前記加圧を解放すると自動的に復元して取付け孔から抜けなくなるようにした、
ことを特徴とする端子保持具。
【請求項３】
筐体に取付けられたコンタクトピンと、当該筐体内に収容配置された回路基板に実装された端子との接触を、当該回路基板に差込まれた端子保持具で保持する構造であり、
端子保持具が前記端子保持具であり、当該端子保持具の二本一対の脚部が、回路基板に実装されている端子を跨いで接触片の両外側に配置され、その配置状態で、脚部の前記差込部が回路基板の電子部品実装面から回路基板の取付け孔に差し込まれて、前記端子の外側への拡がりを阻止できるようにした、
ことを特徴とする端子保持構造。
【請求項４】
ＣＡＴＶ用機器の筐体にコンタクトピンが取り付けられ、当該コンタクトピンが筐体内に収容された端子と接触する端子配置構造において、
前記端子が、モニタ用又は分岐用接栓のコンタクトピンに接触するモニタ用端子と、入出力用接栓のコンタクトピンに接触する入出力用端子であり、
前記両端子が回路基板の電子部品実装面に実装された、
ことを特徴とする端子配置構造。
【請求項５】
請求項４記載の端子配置構造において、
モニタ用端子及び入出力用端子の双方が、電子部品実装面の外側から被せた端子保持具によって電子部品実装面に保持された、
ことを特徴とする端子配置構造。
【発明の詳細な説明】
【技術分野】
【０００１】
本発明は、通信機器、例えば、ＣＡＴＶ用機器の筐体に取付けられた接栓のコンタクトピンと当該筐体内に取付けられた基板に実装されているバネ性の端子との接触を確保するための端子保持具と、その保持具を用いて前記端子の開きを防止した端子保持構造と、その端子配置構造に関する。
【背景技術】
【０００２】
ＣＡＴＶ用機器には増幅器等の各種機器がある。それら機器の筐体Ａ（図４）はアルミダイキャスト製であり、その周壁Ｂには、入出力用の接栓Ｃ1やモニタ用の接栓Ｃ2（通常は入出力用の接栓Ｃ1よりも小径。以下、両接栓をまとめて接栓Ｃという。）が取り付けられている。接栓Ｃ（Ｃ1、Ｃ2）はコンタクトピンＤ（Ｄ1、Ｄ2）を備えており、それらコンタクトピンＤ（Ｄ1、Ｄ2）は接栓Ｃ（Ｃ1、Ｃ2）を周壁Ｂに取付けることにより周壁Ｂの内側に突設される。
【０００３】
筐体Ａ内には、回路基板Ｅ（図４）、シャーシＦ（図４）が図５（ａ）（ｂ）のように収納固定される。回路基板Ｅの表面には電子部品Ｇ（図４）の他に表側端子Ｈが、裏面には裏側端子Ｉが実装されている。表側端子Ｈが回路基板Ｅの表面に、裏側端子Ｉが裏面に実装されているのは、周壁Ｂの下部に取付けられている接栓Ｃ1、周壁Ｂの上部に取付けられている接栓Ｃ2に接続するためである。
【０００４】
表側端子Ｈには図６（ａ）〜（ｃ）に示すもの（接触片３枚のもの）がある。
【０００５】
図６（ａ）〜（ｃ）に示す表側端子Ｈは、一枚の金属板を平面形状コ字状（略コ字状を含む）に曲げ、対向する二枚の側壁Ｊの下方に二本の差し込み片Ｋと両側壁Ｊ間の連結壁Ｊ’の下方に一本の差し込み片Ｋが突設され、二枚の側壁Ｊの下部が上方に折り返されてハ字状（略ハ字状を含む）の接触片Ｌが対向配置されている。接触片Ｌは一定間隔で、一列に三枚ずつ配列されている。
【０００６】
裏側端子Ｉは図７（ａ）に示すように、一枚の金属板が側面形状略Ｍ字状に折り曲げられ、３枚に区画された接触片Ｎと、四本の脚Ｏを備え、対向する接触片Ｎ間にピン嵌合空間Ｐが設けられた板バネ状である。この裏側端子Ｉは、図７（ｂ）（ｃ）に示すような樹脂製の箱型のケースＱ内に収容されており、前記脚Ｏが図７（ｄ）に示すようにケースＱの底面Ｒの差込孔Ｓに差し込まれて底面Ｒから外に突出し、接触片Ｎの折り曲げ部ＴがケースＱの開口部Ｕ（図７（ｂ））から外部に突出している。ケースＱの両側面にはスリットＶが設けられており、そのスリットＶはケースＱの開口部Ｕに連通している。
【０００７】
回路基板Ｅ（図４）には、細長の基板開口部Ｗが開口され、シャーシＦには細長のシャーシ開口部Ｘが開口されている。これら両開口部Ｗ、Ｘは、回路基板ＥをシャーシＦに配置固定すると互いに連通し、回路基板付きのシャーシＦを筐体Ａ内に収容固定すると、両開口部Ｗ、Ｘが図５（ａ）（ｂ）のように前記コンタクトピンＤ（Ｄ1、Ｄ2）に被さる。この場合、表側端子Ｈのピン嵌合空間Ｙ（図６（ａ）（ｃ））がコンタクトピンＤ（Ｄ1、Ｄ2）に被さって、コンタクトピンＤ（Ｄ2）が対向している接触片Ｌ（図６（ａ））のバネ力で挟着保持されて、コンタクトピンＤと電気的に導通可能に接触する。また、裏側端子Ｉ（図７（ａ））のピン嵌合空間ＰがコンタクトピンＤ（Ｄ1）に被さって、コンタクトピンＤが対向している接触片Ｎ（図７（ａ））のバネ力で挟着保持されて、コンタクトピンＤと電気的に導通可能に接触するようにしてある。
【０００８】
接栓Ｃ（Ｃ1、Ｃ2）には入出力用、モニタ用のケーブルが接続される。いずれのラインで使用される場合も、表側端子Ｈも、裏側端子ＩもコンタクトピンＤ（Ｄ1、Ｄ2）との接触は確実であることが望まれる。入出力用で使用する場合は発熱防止の点から接触抵抗が小さいことも望まれる。
【０００９】
裏側端子ＩはケースＱ内に収容されているため、コンタクトピンＤ（Ｄ1）が裏側端子Ｉのピン嵌合空間Ｐ内に嵌合しても、接触片Ｎが外側に拡がらず、コンタクトピンＤ（Ｄ1）と接触片Ｎとの確実な接触が確保される。しかし、表側端子Ｈはケース内に収容されることなく、図６（ａ）〜（ｃ）に示す裸のまま、回路基板Ｅに取付けられるため、コンタクトピンＤ（Ｄ2）がピン嵌合空間Ｙ（図６（ａ）（ｃ））内に嵌合すると、ハ字形に対向している両接触片Ｌが外側に押し拡げられて、両接触片ＬによるコンタクトピンＤ（Ｄ2）の挟着保持が弱まって、両者の接触が不安定になる。接触が不安定になると接触片ＬとコンタクトピンＤとの接触抵抗が大きくなって発熱し易くなる。
【００１０】
表側端子Ｈの接触片Ｌの拡がりを防止するため、従来は、可動式の押さえ板とピン受け金具とでコンタクトピンを挟持するもの（特許文献１）、基板に固定する固定部と一対の脚部と両脚部を連結する連結部とを導電性弾性体で一体成型したコネクタ（特許文献２）などが提案されている。
【先行技術文献】
【特許文献】
【００１１】
【特許文献１】特開平５−１４５７８３号（特許第３１１６１７２号）公報
【特許文献２】特開２００３−１０９７１５号（特許第４６２７３９３号）公報
【発明の概要】
【発明が解決しようとする課題】
【００１２】
図７（ｄ）に示すケース入りの裏側端子Ｉは、筐体Ａ（図４）の周壁Ｂの下部に取付けられている入出力用の端子Ｃ1のコンタクトピンＤ（Ｄ1）と接触する都合上、回路基板Ｅの裏面に実装される。回路基板Ｅはその表面に実装された電子部品のリード線や端子（通常、回路基板の裏面に突出する）を半田付けする場合、回路基板Ｅの裏面を半田槽に浸してジャブ付けするため、裏面端子Ｉを半田付け前に回路基板Ｅに実装すると、前記ジャブ付け時に裏側端子Ｉに半田が付着してしまう。このため、裏側端子Ｉはジャブ付けする前に回路基板Ｅに実装しておくことはできず、ジャブ付けしてから回路基板Ｅの裏面に実装し、回路基板Ｅの表面に突出した裏側端子Ｉの脚Ｏを手作業で回路基板Ｅに半田付け（通称「手半田」）しなければならず、回路基板Ｅへの実装作業が二度手間になって面倒であった。
【００１３】
また、裏側端子Ｉの接触片ＮとコンタクトピンＤ（Ｄ1）との接触面積を広くするためには、接触片Ｎの枚数を多くすることが考えられるが、その様にすると裏側端子Ｉが接触片Ｎの配列方向に長くなってケースＱも大きくなり、回路基板Ｅへの実装スペースが広くなる。
【００１４】
特許文献１記載の挟持具や、特許文献２記載のコネクタは、挟持具或いはコネクタの構造が特許文献１、２用の独自のものであるため汎用性に欠ける。
【００１５】
本発明の目的は、コンタクトピンと端子との確実な接触を確保できる端子保持具と、回路基板に実装された端子の拡がりを防止できる端子保持構造と、端子配置構造を提供することにある。
【課題を解決するための手段】
【００１６】
本発明の端子保持具は、ＣＡＴＶ用機器の筐体に取付けられたコンタクトピンと、当該筐体内に収容配置された回路基板に実装された端子との接触を保持する端子保持具であり、前記端子はコンタクトピンを挟着保持可能に対向配置された二つ一対の接触片を備え、当該接触片はコンタクトピンの軸方向に数対あり、前記端子保持具は二本一対の脚部の軸方向一端側が連結され、他端側が開放されたアーチ形（下向きコ字形又は略コ字形）であり、両脚部間が前記端子を跨ぐことのできる広さであり、夫々の脚部の開放端側に、前記回路基板に差し込み可能な差込部があり、前記端子を跨いで前記両差込部を回路基板の取付け孔に差し込むことにより、前記両脚部が接触片の両外側に配置されて当該接触片の両外側への拡がりが防止されるようにしたものである。
【００１７】
前記差込部は、対向配置された二本一対の差込片を備え、両差込片は加圧により互いに接近し解放により自動的に復元可能であり、接近状態で回路基板の一つの取付け孔に差込み可能であり、差込み後に前記加圧を解放すると自動的に復元して取付け孔から抜けなくなるようにしてある。
【００１８】
本発明の端子保持構造は、筐体に取付けられたコンタクトピンと、当該筐体内に収容配置された回路基板に実装された端子との接触を、当該回路基板に差込まれた端子保持具で保持する構造であり、端子保持具が前記端子保持具であり、当該端子保持具の二本一対の脚部が、回路基板に実装されている端子を跨いで接触片の両外側に配置され、その配置状態で、脚部の前記差込部が回路基板の電子部品実装面から回路基板の取付け孔に差し込まれて、前記端子の外側への拡がりを阻止できるようにしたものである。
【００１９】
本発明の端子配置構造は、ＣＡＴＶ用機器の筐体にコンタクトピンが取り付けられ、当該コンタクトピンが筐体内に収容された端子と接触する端子配置構造であって、端子が、モニタ用接栓のコンタクトピンに接触するモニタ用端子と、入出力用接栓のコンタクトピンに接触する入出力用端子であり、両端子が回路基板の電子部品実装面に実装されたものである。
【００２０】
前記ＣＡＴＶ用機器は、モニタ用端子及び入出力用端子の双方を、電子部品実装面の外側から被せた端子保持具によって電子部品実装面に保持することができる。
【発明の効果】
【００２１】
本発明の端子保持具は次のような効果がある。
（１）差込部を回路基板の取付け孔に圧入すれば、回路基板に実装された端子の外側への拡がりを防止することができ、コンタクトピンと端子との接触を確実に保持できる。
（２）コンタクトピンと端子との接触を確実に保持できるので、コンタクトピンと端子との接触が不安定にならず接触抵抗が安定し、通電時の発熱が少ない。
（３）端子をコンタクトピンの軸方向に長くしても、端子の外側への広がりを防止でき、端子とコンタクトピンの接触が確実になる。
（４）電子部品の実装面側に取り付けられるので、端子だけを電子部品の実装とは別にジャブ付け後に実装して手半田しなければならないという煩わしさがない。
【００２２】
本発明の端子保持構造は次のような効果がある。
回路基板に実装された端子の開きが確実に防止されるため、コンタクトピンと端子との接触が安定し、通電による発熱も抑制できる。
【００２３】
本発明の端子配置構造は次のような効果がある。
コンタクトピンを挟着保持する端子を回路基板の電子部品実装面に実装することができるので、端子を電子部品と共にジャブ付け半田することができるため、端子を電子部品実装面に後付けして、手半田する面倒がない。
【図面の簡単な説明】
【００２４】
【図１】本発明の端子保持構造を備えたＣＡＴＶ機器の一例を示す分解図。
【図２】（ａ）は本発明の端子保持構造の一例を示す斜視図、（ｂ）は端子保持構造の縦断面図、（ｃ）は本発明の端子保持具の一例を示す斜視図、（ｄ）は同端子保持具の正面図。
【図３】本発明における端子の一例を示すものであり、（ａ）は斜視図、（ｂ）は側面図、（ｃ）は平面図。
【図４】従来の端子保持構造を備えたＣＡＴＶ機器の一例を示す分解図。
【図５】従来の端子保持構造の縦断面図であり（ａ）は分配接栓のコンタクトピンと端子との接続状態を示す縦断面図、（ｂ）は入出力接栓のコンタクトピンと端子との接続状態を示す縦断面図。
【図６】従来の端子を示すものであって、（ａ）は接触片が３枚の場合の斜視図、（ｂ）はその側面図、（ｃ）はその平面図。
【図７】従来のケース入り端子の一例を示すものであって、（ａ）は端子の斜視図、（ｂ）は（ａ）の端子を収容するケースの上面側斜視図、（ｃ）は同ケースの裏面側斜視図、（ｄ）は（ａ）の端子を（ｂ）のケースに収容したケース入り端子の斜視図。
【発明を実施するための形態】
【００２５】
（端子保持具の実施形態）
本発明の端子保持具１の実施形態の一例を、図面を参照して説明する。本発明の端子保持具１は図２（ｃ）（ｄ）に示す形状、構造であり、図１に示すＣＡＴＶ用機器、例えば、幹線増幅器、分岐器等のダイキャスト製の筐体Ａの周壁Ｂに取付けられた入出力用の接栓Ｃ1やモニタ用の接栓Ｃ2のコンタクトピンＤ（Ｄ1、Ｄ2）と、シャーシＦに配置固定されて筐体Ａ内に配置固定される回路基板Ｅに実装された端子２とが確実に接触できるようにするものである。
【００２６】
図２（ａ）（ｂ）の回路基板Ｅに実装された端子２は、図３（ａ）〜（ｃ）に示すものであり、一枚の金属板３が平面視略コ字状に折り曲げられており、対向する二枚の細長片４の底面を上方に略Ｖ字状に折り返して、対向する二つの接触片５を側面視略Ｗ字形に成型してあり、両接触片５の間にコンタクトピンＤ（Ｄ1、Ｄ2）を嵌合できる嵌合空間６が設けられている。図３（ａ）〜（ｃ）に示す、対向する二つの接触片５の枚数は細長片４の長手方向に四個としてあるが、その数は任意数とすることができる。嵌合空間６はコンタクトピンＤ（Ｄ1、Ｄ2）を圧入嵌合でき、圧入嵌合すると対向配置された接触片５に密接して挟着保持できる幅としてある。金属板３の折り曲げ部の下方には三本の突起７が突設されている。これら突起７は回路基板Ｅの取付け孔Ｚ（図２（ａ））に差し込んで回路基板Ｅに実装するものであり、実装後は、回路基板Ｅを半田槽にジャブ漬けして電子部品Ｇを回路基板Ｅに半田付けする際に同時に半田付けされる。
【００２７】
前記端子２の形状、接触片５の枚数、幅、間隔、嵌合空間６の間隔（横幅：広さ）、突起７の本数、位置等は、嵌合空間６内に嵌合されるコンタクトピンＤ（Ｄ1、Ｄ2）の径、長さ等に合わせて設計することができる。
【００２８】
図１に示す端子保持具１は間隔を開けて対向配置された二本一対の脚部８（図２（ｃ））を備え、両脚部８の軸方向一端側が連結され、他端側が開放されたアーチ形（下向きコ字形、略コ字形）であり、両脚部８の間隔が前記端子２を跨ぐことのできる広さであり、夫々の脚部８の開放端（下端）に差込部９がある。
【００２９】
前記二本の脚部８の下端側は、両外側から加圧すると互いに接近し、加圧を解放すると復元して元の状態に戻るバネ性を備えている。
【００３０】
前記差込部９は対向配置された二本一対の差込片９ａを備え、両差込片９ａはその両外側から加圧すると互いに接近し、加圧を解放すると自動的に復元可能なバネ性（復元性）を備えている。夫々の差込片９ａの先端は先細りの楔状になっており、両外側に係止鍔９ｂが形成されている。差込片９ａは接近状態で回路基板Ｅの一つの取付け孔Ｍ（図２（ａ））に圧入可能であり、圧入後に前記加圧を解放すると前記バネ性で自動的に復元して、前記係止鍔９ｂが取付け孔Ｍの周縁に係止して取付け孔Ｍから抜けなくなるようにしてある。端子保持具１の材質は特に限定されないが樹脂製が適する。
【００３１】
前記脚部８の長さ（高さ）、両脚部８の間の間隔、脚部８の幅、奥行寸法（厚さ）等は、端子２の形状、サイズ等に合わせて設計することができる。
【００３２】
（端子保持構造の実施形態）
本発明の端子保持構造の一例を、図２（ａ）（ｂ）を参照して説明する。この端子保持構造は、回路基板Ｅに実装された端子２の二枚の細長片４が外側に広がるのを回路基板Ｅに差込んだ端子保持具１で防止して、回路基板Ｅに実装された端子２と筐体Ａ（図１）に取付けられたコンタクトピンＤ（Ｄ1、Ｄ2）との接触を保持する構造である。
【００３３】
本発明の端子保持構造には図２（ｃ）（ｄ）に示す端子保持具１が使用され、図２（ａ）（ｂ）に示すように、回路基板Ｅの電子部品実装面に実装された端子２を、対向配置された二本の脚部８で跨ぎ、その脚部８の差込部９を端子２の幅方向側の取付け孔Ｍ（図２（ａ））に差し込んで係止鍔９ｂを取付け孔Ｍの周縁に係止して取付け孔Ｍから抜けないようにしてある。このとき、端子２を跨いだ二本の脚部８が端子２の両側面に接触して、端子２の細長片４及び二枚の細長片４が外側に開くのを阻止できるようにしてある。
【００３４】
（端子配置構造の実施形態）
本発明の筐体Ａの一例として図１に示すものは、基本的には図４に示すものと同様であり、異なるのは、入出力端用の接栓Ｃ1と、モニタ用の接栓Ｃ2を横一列に同じ高さに配列して、それらのコンタクトピンＤ（Ｄ1、Ｄ2）を同じ高さに横一例に揃えてある。これにより、それらのコンタクトピンＤ（Ｄ1、Ｄ2）を挟着保持する端子２を回路基板Ｅの電子部品実装面に実装することができ、端子２を回路基板Ｅの電子部品実装面に実装して、端子２を電子部品Ｇと共にジャブ付け半田することができるため、従来のように、ジャブ付け後に、端子２を電子部品実装面に後付けして、手半田する面倒が無くなる。
なお、図１において、端子保持具１は入出力用の接栓Ｃ1のコンタクトピンＤ（Ｄ1）に対応した端子２にのみ設けられているが、モニタ用の接栓Ｃ2のコンタクトピンＤ（Ｄ2）に対応した端子２に設けられていなくてもよく、端子保持具１が設けられる箇所に特段の制約はない。
【産業上の利用可能性】
【００３５】
本発明の端子保持具１は、ＣＡＴＶ用機器の接栓のコンタクトピンＤと端子２との接触確保に限らず、他の通信機器や電子機器のコンタクトピンと端子との接触確保に利用することもできる。
【符号の説明】
【００３６】
１    端子保持具
２    端子
３    金属板
４    細長片
５    接触片
６    嵌合空間
７    突起
７ａ  差込片
８    脚部
９    差込部
９ａ  差込片
９ｂ  係止鍔
Ａ    筐体
Ｂ    （筐体の）周壁
Ｃ    接栓
Ｃ1   （入出力用の）接栓
Ｃ2   （モニタ用の）接栓
Ｄ    コンタクトピン
Ｄ1    （入出力用の）コンタクトピン
Ｄ2    （モニタ用の）コンタクトピン
Ｅ    回路基板
Ｆ    シャーシ
Ｇ    電子部品
Ｈ    表側端子
Ｉ    裏側端子
Ｊ    側壁
Ｊ’  連結壁
Ｋ    差し込み片
Ｌ    端子の接触片
Ｍ    取付け孔
Ｎ    接触片
Ｏ    脚
Ｐ    ピン嵌合空間
Ｑ    ケース
Ｒ    （ケースの）底面
Ｓ    差込孔
Ｔ    折り曲げ部
Ｕ    （ケースの）開口部
Ｖ    スリット
Ｗ    基板開口部
Ｘ    シャーシ開口部
Ｙ    （表側端子の）ピン嵌合空間
Ｚ    取付け孔
【図１】
2014036000.tif 000003
【図２】
2014036000.tif 000004
【図３】
2014036000.tif 000005
【図４】
2014036000.tif 000006
【図５】
2014036000.tif 000007
【図６】
2014036000.tif 000008
【図７】
2014036000.tif 000009
【手続補正書】
【提出日】平成25年6月10日(2013.6.10)
【手続補正１】
【補正対象書類名】明細書
【補正対象項目名】全文
【補正方法】変更
【補正の内容】
【発明の詳細な説明】
【技術分野】
【０００１】
本発明は、通信機器、例えば、ＣＡＴＶ用機器の筐体に取付けられた接栓のコンタクトピンと当該筐体内に取付けられた基板に実装されているバネ性の端子との接触を確保するための端子保持具と、その保持具を用いて前記端子の開きを防止した端子保持構造と、その端子配置構造に関する。
【背景技術】
【０００２】
ＣＡＴＶ用機器には増幅器等の各種機器がある。それら機器の筐体Ａ（図４）はアルミダイキャスト製であり、その周壁Ｂには、入出力用の接栓Ｃ1やモニタ用の接栓Ｃ2（通常は入出力用の接栓Ｃ1よりも小径。以下、両接栓をまとめて接栓Ｃという。）が取り付けられている。接栓Ｃ（Ｃ1、Ｃ2）はコンタクトピンＤ（Ｄ1、Ｄ2）を備えており、それらコンタクトピンＤ（Ｄ1、Ｄ2）は接栓Ｃ（Ｃ1、Ｃ2）を周壁Ｂに取付けることにより周壁Ｂの内側に突設される。
【０００３】
筐体Ａ内には、回路基板Ｅ（図４）、シャーシＦ（図４）が図５（ａ）（ｂ）のように収納固定される。回路基板Ｅの表面には電子部品Ｇ（図４）の他に表側端子Ｈが、裏面には裏側端子Ｉが実装されている。表側端子Ｈが回路基板Ｅの表面に、裏側端子Ｉが裏面に実装されているのは、周壁Ｂの下部に取付けられている接栓Ｃ1、周壁Ｂの上部に取付けられている接栓Ｃ2に接続するためである。
【０００４】
表側端子Ｈには図６（ａ）〜（ｃ）に示すもの（接触片３枚のもの）がある。
【０００５】
図６（ａ）〜（ｃ）に示す表側端子Ｈは、一枚の金属板を平面形状コ字状（略コ字状を含む）に曲げ、対向する二枚の側壁Ｊの下方に二本の差し込み片Ｋと両側壁Ｊ間の連結壁Ｊ’の下方に一本の差し込み片Ｋが突設され、二枚の側壁Ｊの下部が上方に折り返されてハ字状（略ハ字状を含む）の接触片Ｌが対向配置されている。接触片Ｌは一定間隔で、一列に三枚ずつ配列されている。
【０００６】
裏側端子Ｉは図７（ａ）に示すように、一枚の金属板が側面形状略Ｍ字状に折り曲げられ、３枚に区画された接触片Ｎと、四本の脚Ｏを備え、対向する接触片Ｎ間にピン嵌合空間Ｐが設けられた板バネ状である。この裏側端子Ｉは、図７（ｂ）（ｃ）に示すような樹脂製の箱型のケースＱ内に収容されており、前記脚Ｏが図７（ｄ）に示すようにケースＱの底面Ｒの差込孔Ｓに差し込まれて底面Ｒから外に突出し、接触片Ｎの折り曲げ部ＴがケースＱの開口部Ｕ（図７（ｂ））から外部に突出している。ケースＱの両側面にはスリットＶが設けられており、そのスリットＶはケースＱの開口部Ｕに連通している。
【０００７】
回路基板Ｅ（図４）には、細長の基板開口部Ｗが開口され、シャーシＦには細長のシャーシ開口部Ｘが開口されている。これら両開口部Ｗ、Ｘは、回路基板ＥをシャーシＦに配置固定すると互いに連通し、回路基板付きのシャーシＦを筐体Ａ内に収容固定すると、両開口部Ｗ、Ｘが図５（ａ）（ｂ）のように前記コンタクトピンＤ（Ｄ1、Ｄ2）に被さる。この場合、表側端子Ｈのピン嵌合空間Ｙ（図６（ａ）（ｃ））がコンタクトピンＤ（Ｄ1、Ｄ2）に被さって、コンタクトピンＤ（Ｄ2）が対向している接触片Ｌ（図６（ａ））のバネ力で挟着保持されて、コンタクトピンＤと電気的に導通可能に接触する。また、裏側端子Ｉ（図７（ａ））のピン嵌合空間ＰがコンタクトピンＤ（Ｄ1）に被さって、コンタクトピンＤが対向している接触片Ｎ（図７（ａ））のバネ力で挟着保持されて、コンタクトピンＤと電気的に導通可能に接触するようにしてある。
【０００８】
接栓Ｃ（Ｃ1、Ｃ2）には入出力用、モニタ用のケーブルが接続される。いずれのラインで使用される場合も、表側端子Ｈも、裏側端子ＩもコンタクトピンＤ（Ｄ1、Ｄ2）との接触は確実であることが望まれる。入出力用で使用する場合は発熱防止の点から接触抵抗が小さいことも望まれる。
【０００９】
裏側端子ＩはケースＱ内に収容されているため、コンタクトピンＤ（Ｄ1）が裏側端子Ｉのピン嵌合空間Ｐ内に嵌合しても、接触片Ｎが外側に拡がらず、コンタクトピンＤ（Ｄ1）と接触片Ｎとの確実な接触が確保される。しかし、表側端子Ｈはケース内に収容されることなく、図６（ａ）〜（ｃ）に示す裸のまま、回路基板Ｅに取付けられるため、コンタクトピンＤ（Ｄ2）がピン嵌合空間Ｙ（図６（ａ）（ｃ））内に嵌合すると、ハ字形に対向している両接触片Ｌが外側に押し拡げられて、両接触片ＬによるコンタクトピンＤ（Ｄ2）の挟着保持が弱まって、両者の接触が不安定になる。接触が不安定になると接触片ＬとコンタクトピンＤとの接触抵抗が大きくなって発熱し易くなる。
【００１０】
表側端子Ｈの接触片Ｌの拡がりを防止するため、従来は、可動式の押さえ板とピン受け金具とでコンタクトピンを挟持するもの（特許文献１）、基板に固定する固定部と一対の脚部と両脚部を連結する連結部とを導電性弾性体で一体成型したコネクタ（特許文献２）などが提案されている。
【先行技術文献】
【特許文献】
【００１１】
【特許文献１】特開平５−１４５７８３号（特許第３１１６１７２号）公報
【特許文献２】特開２００３−１０９７１５号（特許第４６２７３９３号）公報
【発明の概要】
【発明が解決しようとする課題】
【００１２】
図７（ｄ）に示すケース入りの裏側端子Ｉは、筐体Ａ（図４）の周壁Ｂの下部に取付けられている入出力用の端子Ｃ1のコンタクトピンＤ（Ｄ1）と接触する都合上、回路基板Ｅの裏面に実装される。回路基板Ｅはその表面に実装された電子部品のリード線や端子（通常、回路基板の裏面に突出する）を半田付けする場合、回路基板Ｅの裏面を半田槽に浸してジャブ付けするため、裏面端子Ｉを半田付け前に回路基板Ｅに実装すると、前記ジャブ付け時に裏側端子Ｉに半田が付着してしまう。このため、裏側端子Ｉはジャブ付けする前に回路基板Ｅに実装しておくことはできず、ジャブ付けしてから回路基板Ｅの裏面に実装し、回路基板Ｅの表面に突出した裏側端子Ｉの脚Ｏを手作業で回路基板Ｅに半田付け（通称「手半田」）しなければならず、回路基板Ｅへの実装作業が二度手間になって面倒であった。
【００１３】
また、裏側端子Ｉの接触片ＮとコンタクトピンＤ（Ｄ1）との接触面積を広くするためには、接触片Ｎの枚数を多くすることが考えられるが、その様にすると裏側端子Ｉが接触片Ｎの配列方向に長くなってケースＱも大きくなり、回路基板Ｅへの実装スペースが広くなる。
【００１４】
特許文献１記載の挟持具や、特許文献２記載のコネクタは、挟持具或いはコネクタの構造が特許文献１、２用の独自のものであるため汎用性に欠ける。
【００１５】
本発明の目的は、コンタクトピンと端子との確実な接触を確保できる端子保持具と、回路基板に実装された端子の拡がりを防止できる端子保持構造と、端子配置構造を提供することにある。
【課題を解決するための手段】
【００１６】
本発明の端子保持具は、ＣＡＴＶ用機器の筐体に取付けられたコンタクトピンと、当該筐体内に収容配置された回路基板に実装された端子との接触を保持する端子保持具であり、前記端子はコンタクトピンを挟着保持可能に対向配置された二つ一対の接触片を備え、当該接触片はコンタクトピンの軸方向に数対あり、前記端子保持具は二本一対の脚部の軸方向一端側が連結され、他端側が開放されたアーチ形（下向きコ字形又は略コ字形）であり、両脚部間が前記端子を跨ぐことのできる広さであり、夫々の脚部の開放端側に、前記回路基板に差し込み可能な差込部があり、前記端子を跨いで前記両差込部を回路基板の取付け孔に差し込むことにより、前記両脚部が接触片の両外側に配置されて当該接触片の両外側への拡がりが防止されるようにしたものである。
【００１７】
前記差込部は、対向配置された二本一対の差込片を備え、両差込片は加圧により互いに接近し解放により自動的に復元可能であり、接近状態で回路基板の一つの取付け孔に差込み可能であり、差込み後に前記加圧を解放すると自動的に復元して取付け孔から抜けなくなるようにしてある。
【００１８】
本発明の端子保持構造は、筐体に取付けられたコンタクトピンと、当該筐体内に収容配置された回路基板に実装された端子との接触を、当該回路基板に差込まれた端子保持具で保持する構造であり、端子保持具が前記端子保持具であり、当該端子保持具の二本一対の脚部が、回路基板に実装されている端子を跨いで接触片の両外側に配置され、その配置状態で、脚部の前記差込部が回路基板の電子部品実装面から回路基板の取付け孔に差し込まれて、前記端子の外側への拡がりを阻止できるようにしたものである。
【００１９】
本発明の端子配置構造は、ＣＡＴＶ用機器の筐体に、少なくとも、モニタ用接栓と入出力用接栓が取り付けられ、それら接栓のコンタクトピンが筐体内に突出し、それらコンタクトピンと、前記筐体内の回路基板に実装された端子とが接触するようにした端子配置構造において、前記回路基板に実装された端子が、少なくとも、前記モニタ用接栓のコンタクトピンに接触するモニタ用端子と、前記入出力用接栓のコンタクトピンに接触する入出力用端子であり、前記モニタ用端子と入出力用端子が共に、回路基板の電子部品実装面に実装され、電子部品実装面の外側から被せた端子保持具によって電子部品実装面に保持されたものである。
【００２０】
本発明の端子配置構造は、前記端子配置構造において、少なくとも、モニタ用端子と入出力用端子が、筐体に横一列（略横一列）に取付けられた筐体のモニタ用接栓のコンタクトピンと入出力用接栓のコンタクトピンの夫々と接触するようにしたものである。
【発明の効果】
【００２１】
本発明の端子保持具は次のような効果がある。
（１）差込部を回路基板の取付け孔に圧入すれば、回路基板に実装された端子の外側への拡がりを防止することができ、コンタクトピンと端子との接触を確実に保持できる。
（２）コンタクトピンと端子との接触を確実に保持できるので、コンタクトピンと端子との接触が不安定にならず接触抵抗が安定し、通電時の発熱が少ない。
（３）端子をコンタクトピンの軸方向に長くしても、端子の外側への広がりを防止でき、端子とコンタクトピンの接触が確実になる。
（４）電子部品の実装面側に取り付けられるので、端子だけを電子部品の実装とは別にジャブ付け後に実装して手半田しなければならないという煩わしさがない。
【００２２】
本発明の端子保持構造は次のような効果がある。
回路基板に実装された端子の開きが確実に防止されるため、コンタクトピンと端子との接触が安定し、通電による発熱も抑制できる。
【００２３】
本発明の端子配置構造は次のような効果がある。
コンタクトピンを挟着保持する端子を回路基板の電子部品実装面に実装することができるので、端子を電子部品と共にジャブ付け半田することができるため、端子を電子部品実装面に後付けして、手半田する面倒がない。
【図面の簡単な説明】
【００２４】
【図１】本発明の端子保持構造を備えたＣＡＴＶ機器の一例を示す分解図。
【図２】（ａ）は本発明の端子保持構造の一例を示す斜視図、（ｂ）は端子保持構造の縦断面図、（ｃ）は本発明の端子保持具の一例を示す斜視図、（ｄ）は同端子保持具の正面図。
【図３】本発明における端子の一例を示すものであり、（ａ）は斜視図、（ｂ）は側面図、（ｃ）は平面図。
【図４】従来の端子保持構造を備えたＣＡＴＶ機器の一例を示す分解図。
【図５】従来の端子保持構造の縦断面図であり（ａ）は分配接栓のコンタクトピンと端子との接続状態を示す縦断面図、（ｂ）は入出力接栓のコンタクトピンと端子との接続状態を示す縦断面図。
【図６】従来の端子を示すものであって、（ａ）は接触片が３枚の場合の斜視図、（ｂ）はその側面図、（ｃ）はその平面図。
【図７】従来のケース入り端子の一例を示すものであって、（ａ）は端子の斜視図、（ｂ）は（ａ）の端子を収容するケースの上面側斜視図、（ｃ）は同ケースの裏面側斜視図、（ｄ）は（ａ）の端子を（ｂ）のケースに収容したケース入り端子の斜視図。
【発明を実施するための形態】
【００２５】
（端子保持具の実施形態）
本発明の端子保持具１の実施形態の一例を、図面を参照して説明する。本発明の端子保持具１は図２（ｃ）（ｄ）に示す形状、構造であり、図１に示すＣＡＴＶ用機器、例えば、幹線増幅器、分岐器等のダイキャスト製の筐体Ａの周壁Ｂに取付けられた入出力用の接栓Ｃ1やモニタ用の接栓Ｃ2のコンタクトピンＤ（Ｄ1、Ｄ2）と、シャーシＦに配置固定されて筐体Ａ内に配置固定される回路基板Ｅに実装された端子２とが確実に接触できるようにするものである。
【００２６】
図２（ａ）（ｂ）の回路基板Ｅに実装された端子２は、図３（ａ）〜（ｃ）に示すものであり、一枚の金属板３が平面視略コ字状に折り曲げられており、対向する二枚の細長片４の底面を上方に略Ｖ字状に折り返して、対向する二つの接触片５を側面視略Ｗ字形に成型してあり、両接触片５の間にコンタクトピンＤ（Ｄ1、Ｄ2）を嵌合できる嵌合空間６が設けられている。図３（ａ）〜（ｃ）に示す、対向する二つの接触片５の枚数は細長片４の長手方向に四個としてあるが、その数は任意数とすることができる。嵌合空間６はコンタクトピンＤ（Ｄ1、Ｄ2）を圧入嵌合でき、圧入嵌合すると対向配置された接触片５に密接して挟着保持できる幅としてある。金属板３の折り曲げ部の下方には三本の突起７が突設されている。これら突起７は回路基板Ｅの取付け孔Ｚ（図２（ａ））に差し込んで回路基板Ｅに実装するものであり、実装後は、回路基板Ｅを半田槽にジャブ漬けして電子部品Ｇを回路基板Ｅに半田付けする際に同時に半田付けされる。
【００２７】
前記端子２の形状、接触片５の枚数、幅、間隔、嵌合空間６の間隔（横幅：広さ）、突起７の本数、位置等は、嵌合空間６内に嵌合されるコンタクトピンＤ（Ｄ1、Ｄ2）の径、長さ等に合わせて設計することができる。
【００２８】
図１に示す端子保持具１は間隔を開けて対向配置された二本一対の脚部８（図２（ｃ））を備え、両脚部８の軸方向一端側が連結され、他端側が開放されたアーチ形（下向きコ字形、略コ字形）であり、両脚部８の間隔が前記端子２を跨ぐことのできる広さであり、夫々の脚部８の開放端（下端）に差込部９がある。
【００２９】
前記二本の脚部８の下端側は、両外側から加圧すると互いに接近し、加圧を解放すると復元して元の状態に戻るバネ性を備えている。
【００３０】
前記差込部９は対向配置された二本一対の差込片９ａを備え、両差込片９ａはその両外側から加圧すると互いに接近し、加圧を解放すると自動的に復元可能なバネ性（復元性）を備えている。夫々の差込片９ａの先端は先細りの楔状になっており、両外側に係止鍔９ｂが形成されている。差込片９ａは接近状態で回路基板Ｅの一つの取付け孔Ｍ（図２（ａ））に圧入可能であり、圧入後に前記加圧を解放すると前記バネ性で自動的に復元して、前記係止鍔９ｂが取付け孔Ｍの周縁に係止して取付け孔Ｍから抜けなくなるようにしてある。端子保持具１の材質は特に限定されないが樹脂製が適する。
【００３１】
前記脚部８の長さ（高さ）、両脚部８の間の間隔、脚部８の幅、奥行寸法（厚さ）等は、端子２の形状、サイズ等に合わせて設計することができる。
【００３２】
（端子保持構造の実施形態）
本発明の端子保持構造の一例を、図２（ａ）（ｂ）を参照して説明する。この端子保持構造は、回路基板Ｅに実装された端子２の二枚の細長片４が外側に広がるのを回路基板Ｅに差込んだ端子保持具１で防止して、回路基板Ｅに実装された端子２と筐体Ａ（図１）に取付けられたコンタクトピンＤ（Ｄ1、Ｄ2）との接触を保持する構造である。
【００３３】
本発明の端子保持構造には図２（ｃ）（ｄ）に示す端子保持具１が使用され、図２（ａ）（ｂ）に示すように、回路基板Ｅの電子部品実装面に実装された端子２を、対向配置された二本の脚部８で跨ぎ、その脚部８の差込部９を端子２の幅方向側の取付け孔Ｍ（図２（ａ））に差し込んで係止鍔９ｂを取付け孔Ｍの周縁に係止して取付け孔Ｍから抜けないようにしてある。このとき、端子２を跨いだ二本の脚部８が端子２の両側面に接触して、端子２の細長片４及び二枚の細長片４が外側に開くのを阻止できるようにしてある。
【００３４】
（端子配置構造の実施形態）
本発明の筐体Ａの一例として図１に示すものは、基本的には図４に示すものと同様であり、異なるのは、入出力端用の接栓Ｃ1と、モニタ用の接栓Ｃ2を横一列に同じ高さに配列して、それらのコンタクトピンＤ（Ｄ1、Ｄ2）を同じ高さに横一例に揃えてある。これにより、それらのコンタクトピンＤ（Ｄ1、Ｄ2）を挟着保持する端子２を回路基板Ｅの電子部品実装面に実装することができ、端子２を回路基板Ｅの電子部品実装面に実装して、端子２を電子部品Ｇと共にジャブ付け半田することができるため、従来のように、ジャブ付け後に、端子２を電子部品実装面に後付けして、手半田する面倒が無くなる。
なお、図１において、端子保持具１は入出力用の接栓Ｃ1のコンタクトピンＤ（Ｄ1）に対応した端子２にのみ設けられているが、モニタ用の接栓Ｃ2のコンタクトピンＤ（Ｄ2）に対応した端子２に設けられていなくてもよく、端子保持具１が設けられる箇所に特段の制約はない。
【産業上の利用可能性】
【００３５】
本発明の端子保持具１は、ＣＡＴＶ用機器の接栓のコンタクトピンＤと端子２との接触確保に限らず、他の通信機器や電子機器のコンタクトピンと端子との接触確保に利用することもできる。
【符号の説明】
【００３６】
１    端子保持具
２    端子
３    金属板
４    細長片
５    接触片
６    嵌合空間
７    突起
７ａ  差込片
８    脚部
９    差込部
９ａ  差込片
９ｂ  係止鍔
Ａ    筐体
Ｂ    （筐体の）周壁
Ｃ    接栓
Ｃ1   （入出力用の）接栓
Ｃ2   （モニタ用の）接栓
Ｄ    コンタクトピン
Ｄ1    （入出力用の）コンタクトピン
Ｄ2    （モニタ用の）コンタクトピン
Ｅ    回路基板
Ｆ    シャーシ
Ｇ    電子部品
Ｈ    表側端子
Ｉ    裏側端子
Ｊ    側壁
Ｊ’  連結壁
Ｋ    差し込み片
Ｌ    端子の接触片
Ｍ    取付け孔
Ｎ    接触片
Ｏ    脚
Ｐ    ピン嵌合空間
Ｑ    ケース
Ｒ    （ケースの）底面
Ｓ    差込孔
Ｔ    折り曲げ部
Ｕ    （ケースの）開口部
Ｖ    スリット
Ｗ    基板開口部
Ｘ    シャーシ開口部
Ｙ    （表側端子の）ピン嵌合空間
Ｚ    取付け孔
【手続補正２】
【補正対象書類名】特許請求の範囲
【補正対象項目名】全文
【補正方法】変更
【補正の内容】
【特許請求の範囲】
【請求項１】
ＣＡＴＶ用機器の筐体に取付けられたコンタクトピンと、当該筐体内に収容配置された回路基板に実装された端子との接触を保持する端子保持具であり、
前記端子はコンタクトピンを挟着保持可能に対向配置された二つ一対の接触片を備え、当該接触片はコンタクトピンの軸方向に数対あり、
前記端子保持具は二本一対の脚部の軸方向一端側が連結され、他端側が開放されたアーチ形であり、両脚部間が前記端子を跨ぐことのできる広さであり、夫々の脚部の開放端側に、前記回路基板に差し込み可能な差込部があり、
前記端子を跨いで前記両差込部を回路基板の取付け孔に差し込むことにより、前記両脚部が接触片の両外側に配置されて当該接触片の両外側への拡がりが防止されるようにした、
ことを特徴とする端子保持具。
【請求項２】
請求項１記載の端子保持具において、
差込部が、対向配置された二本一対の差込片を備え、
両差込片は加圧により互いに接近し解放により自動的に復元可能であり、接近状態で回路基板の一つの取付け孔に差込み可能であり、差込み後に前記加圧を解放すると自動的に復元して取付け孔から抜けなくなるようにした、
ことを特徴とする端子保持具。
【請求項３】
筐体に取付けられたコンタクトピンと、当該筐体内に収容配置された回路基板に実装された端子との接触を、当該回路基板に差込まれた端子保持具で保持する構造であり、
端子保持具が前記端子保持具であり、当該端子保持具の二本一対の脚部が、回路基板に実装されている端子を跨いで接触片の両外側に配置され、その配置状態で、脚部の前記差込部が回路基板の電子部品実装面から回路基板の取付け孔に差し込まれて、前記端子の外側への拡がりを阻止できるようにした、
ことを特徴とする端子保持構造。
【請求項４】
ＣＡＴＶ用機器の筐体に、少なくとも、モニタ用接栓と入出力用接栓が取り付けられ、それら接栓のコンタクトピンが筐体内に突出し、それらコンタクトピンと、前記筐体内の回路基板に実装された端子とが接触するようにした端子配置構造において、
前記回路基板に実装された端子が、少なくとも、前記モニタ用接栓のコンタクトピンに接触するモニタ用端子と、前記入出力用接栓のコンタクトピンに接触する入出力用端子であり、
前記モニタ用端子と入出力用端子が共に、回路基板の電子部品実装面に実装され、電子部品実装面の外側から被せた端子保持具によって電子部品実装面に保持された、
ことを特徴とする端子配置構造。
【請求項５】
請求項４記載の端子配置構造において、
少なくとも、モニタ用端子と入出力用端子が、筐体に横一列（略横一列）に取付けられた筐体のモニタ用接栓のコンタクトピンと入出力用接栓のコンタクトピンの夫々と接触する、
ことを特徴とする端子配置構造。